(57)【要約】【課題】複数の光源を有し、光出力制御用光検出器が複数の光源からの光を検出し光出力制御を行う光ピックアップ装置において、光出力制御用光検出器へ入射する複数の光ビームの光量を設定する際に、光学系の配置の自由度が低く、簡素な構成と高精度の出力制御を共に実現する妨げとなっていた問題を解決し、安価でより小型な光ヘッド装置を提供することを目的とする。【解決手段】光出力制御用光検出器１１１は、複数の光源１０ａ、１０ｂから出射された光から分離された光ビーム１２ａ、１２ｂの各々の一部または全部を検出する。１２ａを収束光、１２ｂを発散光とすることで、１２ａ、１２ｂの光量の設定を簡素で配置自由度の高い光学系の設定によって容易に行うことができるため、複数の光源を搭載しながら、光学系・回路構成の簡素化と、高い精度での光源の出力制御を共に実現することが可能となり、安価でより小型な光ピックアップ装置の実現が可能である。【選択図】  図１
2004253062.tif 000002
【特許請求の範囲】
【請求項１】
複数の光源と、前記光源から出射された光の一部を分離する分離光学素子と、前記複数の光源から出射され前記分離光学素子によって分離された光の各々の少なくとも一部を光出力制御用光検出器へ導く光学系とを有し、前記光出力制御用光検出器が前記複数の光源のうち少なくとも二つ以上の光源からの光を検出する光ピックアップ装置であって、前記複数の光源から出射され前記光出力制御用光検出器へ入射する複数の光のうち、少なくとも一つ以上の光が前記光出力制御用光検出器へ至る光路上に備えられた集光光学素子によって集光される収束光として入射すると同時に、前記収束光として入射する光と異なる光のいずれか一つ以上が発散光として前記光出力制御用光検出器へ入射することを特徴とする光ピックアップ装置。
【請求項２】
複数の光源のうち、光出力制御用光検出器へ至る光路の光学的距離が最も小さい光源から出射され前記光出力制御用光検出器へ入射する光が発散光であることを特徴とする請求項１記載の光ピックアップ装置。
【請求項３】
複数の光源のうち、出射しうる光ビームの光量が最も小さい光源から出射され光出力制御用光検出器へ入射する光が収束光であることを特徴とする請求項１または請求項２記載の光ピックアップ装置。
【請求項４】
集光光学素子へ入射する光ビームのうち、外周部の光の少なくとも一部が集光光学素子によって集光され収束光に変換されることを特徴とする請求項１から３のいずれかに記載の光ピックアップ装置。
【請求項５】
集光光学素子が光源から分離光学素子へ至る光路上に備えられることを特徴とする請求項１から４のいずれかに記載の光ピックアップ装置。
【請求項６】
集光光学素子が偏光ホログラム光学素子からなることを特徴とする請求項１から５のいずれかに記載の光ピックアップ装置。
【発明の詳細な説明】
【０００１】
【発明の属する技術分野】
本発明は、レーザ光源を用いて光ディスク等の情報記録媒体に対して情報を光学的に記録あるいは再生する光ピックアップ装置に関する。
【０００２】
【従来の技術】
レーザ光源からの光を用いて光ディスクに対して情報を光学的に記録あるいは、再生するような光ピックアップ装置では、レーザ光源からの出射光の一部を光ディスクへの光路から分離する分離光学素子、例えばビームスプリッタあるいはハーフミラーを用いて記録及び再生用レーザ光の一部を光検出器に導き、その光検出器の出力を用いて光源の出力光量を制御している。
【０００３】
近年、光ディスクのフォーマットが多様化するなかで、一つの光ピックアップ装置で複数のフォーマットの光ディスクに対して再生または記録を実現するために、複数のレーザ光源を用いる光ピックアップ装置が実現されているが、このような光ピックアップ装置の場合、複数のレーザ光源からの出力光量をそれぞれ制御するために、複数の光源からの光を一つの光出力制御用光検出器へ入射させ、一つの光出力制御用光検出器で複数の光源の出力制御を行う構成が提案されている（たとえば特許文献１、第６頁、第３図参照）。
【０００４】
一例として、二つの光源を用いた従来の光ピックアップ装置を図５に示す。
【０００５】
５０ａは第１の波長の光を出射する第１の光源、５０ｂは第２の波長の光を出射する第２の光源であり、光源駆動回路５６によって選択的に駆動される構成となっており、第１の光源５０ａは第１の光ディスク５０２の記録または再生、第２の光源５０ｂは第２の光ディスク５０３の記録または再生に対応するものであり、出射する光の波長は互いに異なる。５０４はコリメートレンズ、５０１はハーフミラーであり、５０５、５１０はビームスプリッタ、５１２は光出力制御用光検出器である。この光学系では、第１の光源５０ａから出射された光ビーム５１ａは、ハーフミラー５０１へ入射する。ハーフミラー５０１には光ビーム５１ａ、５１ｂの各々の一部を透過させ、その他を反射させる特徴をもつ膜が施されているため、入射した光はハーフミラー５０１において、反射光は光出力制御用光ビーム５２ａ、透過光は、記録再生信号用光ビーム５３ａに分離される。記録再生信号用光ビーム５３ａは、コリメートレンズ５０４によって平行光に変換された後、ビームスプリッタ５０５を通過し、対物レンズ５０６によって集光され、光ディスク５０２に照射される。光ディスク５０２で反射された光は対物レンズ５０６を通り、ビームスプリッタ５０５で反射され、さらにビームスプリッタ５１０を通過し、再生信号用光検出器５１１に入射する。一方、光出力制御用光ビーム５２ａは光出力制御用光検出器５１２へ入射する。
【０００６】
同様に、第２の光源５０ｂから出射された光ビーム５１ｂは、ハーフミラー５０１へ入射し、透過光は光出力制御用光ビーム５２ｂ、反射光は記録再生信号用光ビーム５３ｂの二つへ分離される。ハーフミラー５０１で反射された記録再生信号用光ビーム５３ｂは、コリメートレンズ５０４によって平行光に変換された後、ビームスプリッタ５０５を透過し、対物レンズ５０６によって集光され、光ディスク５０３に照射される。
【０００７】
光ディスク５０３で反射された光は対物レンズ５０６を通り、ビームスプリッタ５０５により反射され、さらにビームスプリッタ５１０によって反射され、記録再生信号用光検出器５１３に入射する。一方、光出力制御用光ビーム５２ｂは光出力制御用光検出器５１２へ入射する。
【０００８】
この構成では、光出力制御用光ビーム５２ａ、５２ｂは図中にそれぞれ示した実線と破線のような発散光として光出力制御用光検出器５１２にそれぞれ入射し、光出力制御用光検出器５１２は第１の光源５０ａあるいは第２の光源５０ｂから出射された光の一部または全部を各々検出し、検出信号を検出回路５４へ出力する。検出回路５４は入力された検出信号を光出力検出信号へ変換し、光出力制御回路５５へ出力する。光出力制御回路５５はそれぞれ第１の光源５０ａ、第２の光源５０ｂの光出力を所定の値にするように上記検出信号をもとに光源駆動回路５６の制御を行い、光源５０ａあるいは５０ｂを駆動する。
【０００９】
ここで、光出力制御用光検出器５１２の一例であるフォトダイオードは一般的に、異なる波長の光に対しては、感度が異なるため、光出力制御用ビーム５２ａと５２ｂとが同光量であっても、光出力制御用検出器５１２から出力される検出信号は異なり、同一の検出回路５４、光出力制御回路５５、光源駆動回路５６より出力されるそれぞれの光源に対応する光出力検出信号、光出力制御信号、光源駆動信号は互いに異なる。
【００１０】
そのため、図５のような構成において複数の光源が出射する光量の制御を行う際に、光源５０ａ、５０ｂが所定の光量の光ビーム５１ａ、５１ｂを出力する際に光出力制御用光検出器から出力される検出信号がほぼ等しくなるように、光出力制御用光検出器５１２へそれぞれ入射する光出力制御用ビーム５３ａ、５３ｂの光量が設定されている。具体的には、異なるフォーマットの光ディスクの再生あるいは記録を行う複数の光源に対して、それぞれに光ディスクに対応する所定の再生出射光量あるいは記録出射光量に対応する光出力制御用光検出器からの出力が等しくなるように設定する。このような構成をとることにより、異なる光源に対しての、検出信号の相違による光出力制御回路の制御特性および光源駆動回路での駆動特性のばらつきを考慮する必要がなくなり、検出回路５４、光出力制御回路５５、光源駆動回路５６をより簡素な構成で複数の光源で共用することが可能な構成となる。
【００１１】
【特許文献１】
特開２００２−３１９１７５号公報
【００１２】
【発明が解決しようとする課題】
ところで、上述したように、図５に示した構成の光ピックアップ装置で、第１の光源５０ａに対応する光出力制御用光ビーム５２ａと第２の光源に対応する光出力制御用光ビーム５２ｂは発散光であるが、このような構成では、光出力制御用光検出器５１２へ入射する光量は、主に光源５０ａ、５０ｂから光出力検出用光検出器５１２へ至る光路の光学的距離とハーフミラー５０１の反射率および透過率などの光学特性によって設定される。また、一般的に、光源から出射される光ビームをハーフミラーなどの分離光学素子によって光ディスク記録再生信号用光ビームと光出力制御用光ビームへ分離する場合、その光学特性は光ディスク記録再生信号用光ビームが大きな光量になるように設定し、前記光出力制御用光検出器へ入射する光ビームの光量は小さく設定するように設定される場合が多い。
【００１３】
従って、ハーフミラーなどの分離光学素子の光学特性は所定の範囲内に設定されることになる。よって、光出力制御用光検出器に発散光として入射する光出力制御用光ビーム５２ａ、５２ｂの光量を上記の所定の値に設定するには、上記光学的距離が大きく影響するため、光源５０ａ、５０ｂと光出力制御用光検出器５１２の配置を同時に厳密に設定することが必要となる。この場合、光出力制御用ビーム５３ａ、５３ｂを光出力検出器５１２へ導く光学系の配置を設定する際の自由度が低くなり、光学系およびそれに付随する部品を簡素な構成で実現することが困難となるため、光ピックアップ装置の小型化、低コスト化をすすめる上での妨げとなる。
【００１４】
さらに、上記の理由により、光出力制御用光ビームの光量は小さく設定されるため、光源の出力制御に利用する光出力制御用光検出器から出力される検出信号に含まれる相対ノイズを低減するには、光出力制御用光ビームの利用効率を高め、大きな光量として受光することが必要であるが、そのために光出力制御用検出器の光ビームを受光する面積を大きくした場合、光ディスクの記録または再生の際の光源の出射光量の変化に伴う光出力制御用光ビームの光量の変化に対する応答速度が低下し、光源の出力の制御を行うための十分な速度が得られなくなるため、光出力制御用光検出器へ入射する光ビームの大きさに対して、受光面の大きさは所定の大きさに決定されている。したがって、光出力制御用光ビームの高い利用効率とその光量の変化に対する大きい応答速度を両立させることが困難となり、高精度での光源の出力制御の実現の妨げとなる。
【００１５】
さらに、これらの点に関して、将来の光ディスクのフォーマットの更なる多様化に対して、一つの光ピックアップ装置で複数のフォーマットの光ディスクの再生または記録を実現するためには、さらに多くの波長の光源が搭載され、それに対応する複数の出射光量の制御を行うために、上記の理由からさらに光学系の配置を設定する際の自由度が低くなり、光学系およびそれに付随する部品を簡素な構成で実現することが困難となり、また、高い精度で光源の出力制御を行うことがますます困難となり、光ピックアップ装置の小型化、低コスト化の妨げとなる。
【００１６】
本発明は、以上の問題点に着目してなされたものであり、複数の光源からの出射光を分離してそれぞれ一つの光出力制御用光検出器で検出する際に、光出力制御用光検出器へ入射する複数の光のうち、少なくとも一つを光路上に備えた集光光学素子で集光した収束光にすると同時に、他のいずれか一つ以上を発散光にすることにより、光源が所定の光量の光ビームを出力する際に光出力制御用光検出器へ入射するそれぞれの光ビームの光量をほぼ同一に設定する光学系の配置の設定に関して自由度が高く、光学系およびそれに付随する部品の構成が容易に実現可能となり、高精度の光源の出力制御を実現しながら、簡素な光学系および簡素な回路構成で複数の光源を搭載しながらも安価でより小型な光ピックアップ装置を提供することを目的とする。
【００１７】
【課題を解決するための手段】
この課題を解決するために、本発明の光ピックアップ装置は、複数の光源と、前記光源から出射された光の一部を分離する分離光学素子と、前記複数の光源から出射され前記分離光学素子によって分離された光の各々の少なくとも一部を光出力制御用光検出器へ導く光学系とを有し、前記光出力制御用光検出器が前記複数の光源のうち少なくとも二つ以上の光源からの光を検出する光ピックアップ装置であって、前記複数の光源から出射され前記光出力制御用光検出器へ入射する複数の光のうち、少なくとも一つ以上が前記光出力制御用光検出器へ至る光路上に備えられた集光光学素子によって集光される収束光として入射すると同時に、前記収束光として入射する光と異なる光のいずれか一つ以上が発散光として前記光出力制御用光検出器へ入射するように構成されている。
【００１８】
また、本発明では、複数の光源のうち、光出力制御用光検出器へ至る光路の光学的距離の最も小さい光源から出射され光出力制御用検出器へ入射する光が発散光であることが望ましい。
【００１９】
さらに、複数の光源のうち、最大出射出力が最も小さい光源から出射され光出力制御用光検出器へ入射する光が集光された収束光である構成も有効である。
【００２０】
また、集光光学素子へ入射する光ビームのうち、外周部の光の少なくとも一部が集光光学素子によって集光され収束光に変換される構成をとることが望ましい。
【００２１】
さらに、集光光学素子が光源から分離光学素子へ至る光路上に備える構成をとることが望ましい。
【００２２】
また、集光光学素子が偏光ホログラム光学素子からなる構成をとることが望ましい。
【００２３】
【発明の実施の形態】
本発明の光ピックアップ装置は、複数の光源と、前記光源から出射された光の一部を分離する分離光学素子と、前記複数の光源から出射され前記分離光学素子によって分離された光の各々の少なくとも一部を光出力制御用光検出器へ導く光学系とを有し、前記光出力制御用光検出器が前記複数の光源のうち少なくとも二つ以上の光源からの光を検出する光ピックアップ装置であって、前記複数の光源から出射され前記光出力制御用光検出器へ入射する複数の光のうち、少なくとも一つ以上が前記光出力制御用光検出器へ至る光路上に備えられた集光光学素子によって集光される収束光として入射すると同時に、前記収束光として入射する光と異なる光のいずれか一つ以上が発散光として前記光出力制御用光検出器へ入射することによって、複数の光源からの光を光出力制御用光検出器に所定の光量で入射させることができるため、高い精度での光源の出力制御の実現と簡素な光学系および回路構成を両立する安価でより小型な光ピックアップ装置を実現できるという作用を有する。
【００２４】
また、複数の光源のうち、光出力制御用光検出器へ至る光路の光学的距離の最も小さい光源から出射され前記光出力制御用光検出器へ入射する光を発散光にすることにより、高い精度での光源の出力制御の実現と簡素な光学系および回路構成を両立する安価でより小型な光ピックアップ装置を実現できるという作用を有する。
【００２５】
また、複数の光源のうち、出射しうる光出力が最も小さい光源から出射され光出力制御用光検出器へ入射する光を収束光にすることにより、高い精度での光源の出力制御の実現と簡素な光学系および回路構成を両立する安価でより小型な光ピックアップ装置を実現できるという作用を有する。
【００２６】
また、集光光学素子へ入射する光ビームのうち、外周部の光の少なくとも一部が集光光学素子によって集光され収束光に変換される構成にすることにより、高い精度での光源の出力制御の実現と簡素な光学系および回路構成を両立する安価でより小型な光ピックアップ装置を実現できるという作用を有する。
【００２７】
また、集光光学素子が光源から分離光学素子へ至る光路上に備えられることによって、簡素な光学系を実現することができ、高い精度での光源の出力制御の実現と簡素な光学系および回路構成を両立する安価で小型な光ピックアップ装置を実現できるという作用を有する。
【００２８】
また、集光光学素子として偏光ホログラム光学素子を用いることにより、高い精度での光源の出力制御の実現と簡素な光学系および回路構成を両立する、より安価な光ピックアップ装置を実現できるという作用を有する。
【００２９】
以下、本発明の実施の形態について図１から図４を用いて説明する。
【００３０】
（実施の形態１）
本発明の第１の実施の形態の構成図を図１に示す。なお、ここでは複数の光源として、二つの光源を有する光ピックアップ装置について例示するが、本発明は、二つ以上の光源を有する光ピックアップ装置に適用できるものであり、光源の数が二つに限定されるものではない。
【００３１】
１０ａは第１の波長の光を出射する第１の光源、１０ｂは第２の波長の光を出射する第２の光源であり、光源駆動回路１６によって選択的に駆動される構成となっており、第１の光源１０ａは第１の光ディスク１０２の記録または再生、第２の光源１０ｂは第２の光ディスク１０３の記録または再生に対応するものであり、出射する光の波長は互いに異なる。１０４はコリメートレンズ、１０１はハーフミラーであり、１０５、１０７はビームスプリッタ、１１０は第１の光源から出射される波長の光を集光し、第２の光源から出射される波長の光は透過させる特徴をもつ集光光学素子、１１１は光出力制御用光検出器である。この光学系では、第１の光源１０ａから出射された光ビーム１１ａは、ハーフミラー１０１へ入射する。ハーフミラー１０１には光ビーム１１ａ、１１ｂの各々の一部を透過させ、その他を反射させる特徴をもつ膜が施されているため、入射した光はハーフミラー１０１において、反射光は光出力制御用光ビーム１２ａ、透過光は記録再生信号用光ビーム１３ａに分離される。記録再生信号用光ビーム１３ａは、コリメートレンズ１０４によって平行光に変換された後、ビームスプリッタ１０５を通過し、対物レンズ１０６によって集光され、光ディスク１０２に照射される。光ディスク１０２で反射された光は対物レンズ１０６を通り、ビームスプリッタ１０５で反射され、さらにビームスプリッタ１０７を通過し、記録再生信号用光検出器１０８に入射する。一方、光出力制御用光ビーム１２ａは集光光学素子１１０によって集光され収束光として光出力制御用光検出器１１１へ入射する。
【００３２】
同様に、第２の光源１０ｂから出射された光ビーム１１ｂは、ハーフミラー１０１へ入射し、透過光は光出力制御用光ビーム１２ｂ、反射光は記録再生信号用光ビーム１３ｂの二つへ分離される。ハーフミラー１０１で反射された記録再生信号用光ビーム１３ｂは、コリメートレンズ１０４によって平行光に変換された後、ビームスプリッタ１０５を透過し、対物レンズ１０６によって集光され、光ディスク１０３に照射される。光ディスク１０３で反射された光は対物レンズ１０６を通り、ビームスプリッタ１０５により反射され、さらにビームスプリッタ１０７によって反射され、記録再生信号用光検出器１０９に入射する。一方、光出力制御用光ビーム１２ｂは集光光学素子１１０を発散光のまま通過し、光出力制御用光検出器１１１入射する。
【００３３】
この構成では、光出力制御用光ビーム１２ａは図中実線で示すような収束光、１２ｂは図中破線で示すような発散光として光出力制御用光検出器１１１にそれぞれ入射し、光出力制御用光検出器１１１は第１の光源１０ａあるいは第２の光源１０ｂから出射された光の一部または全部を各々検出し、検出信号を検出回路１４へ出力する。検出回路１４は入力された検出信号を光出力検出信号へ変換し、光出力制御回路１５へ出力する。光出力制御回路１５はそれぞれ第１の光源１０ａ、第２の光源１０ｂの光出力を所定の値にするように上記検出信号をもとに光源駆動回路１６の制御を行い、光源１０ａあるいは１０ｂを駆動する。
【００３４】
この構成においては、一つの光出力制御用光検出器１１１、検出回路１４、光出力制御回路１５、光源駆動回路１６で複数の光源１０ａ、１０ｂの出射光量を制御するために、光源１０ａ、１０ｂが所定の光量の光ビーム１１ａ、１１ｂを出力する際の光出力制御用光検出器１１１から出力される検出信号がほぼ等しくなるように、光出力制御用光検出器１１１へそれぞれ入射する光出力制御用ビーム１２ａ、１２ｂの光量が設定されている。
【００３５】
このとき、光出力制御用光ビーム１２ａの光量は、主に第１の光源１０ａと光出力制御用光検出器１１１の光路上に設けた集光光学素子１１０の集光特性によって設定され、光源１０ａと光出力制御用光検出器１１１の光学的な配置には依存しないため、所定の光量を確保するような光源１０ａから光出力制御用光検出器１１１へ至る光学系の配置の設定が容易に実現でき、配置の自由度の高い光学系およびそれに付随する部品を、簡素な構成で容易に実現できる。さらに、受光する面の面積の小さい光出力制御用光検出器１１１に対して所定の光量を確保する設定が容易に実現可能となり、十分な光量の入射による検出信号の相対ノイズの低減と、受光する面積を小さくすることによる光量の変化に対する応答速度の向上を両立する、高い精度での光源の出力制御を実現できる。また、収束光にすることにより、光出力制御用光ビーム１２ａを効率よく光出力制御用光検出器１１１へ入射させることができるため、ハーフミラー１０１の光学特性を記録再生信号用光ビーム１３ａを大きくするように設定することが可能となるため、光源１０ａから出射される光ビーム１１ａの利用効率の向上が期待でき、光ピックアップ装置の性能向上、低コスト化に有利となる。
【００３６】
一方、光出力制御用光ビーム１２ｂは第２の光源１０ｂから発散光として出射される光ビーム１１ｂから分離され発散光として光出力制御用光検出器１１１へ入射するが、光出力制御用ビーム１２ｂの光量は第２の光源１０ｂと光出力制御用光検出器１１１との光学的距離やハーフミラー１０１の透過率の設定により独立して所定の光量に設定することができるため、簡素な光学系およびそれに付随する部品での構成が可能となり、構成の簡素化に有利となる。さらに、発散光とすることで、光出力制御用光検出器１１１へ入射する光ビームの受光される面上での面積が受光される面の面積に対して十分大きく設定されるため、光出力制御用光ビーム１０ｂが光出力制御用光検出器１１１へ入射する位置のばらつきによって生じる入射する光量のばらつきの範囲が小さくなり、あらかじめ想定する光出力制御用光検出器１１１への入射する光ビーム１２ｂの光量のばらつきの範囲を小さく設定することができるため、より簡素な光出力制御用光検出器１１１、検出回路１４、光出力制御回路１５、光源駆動回路１６を用いることができる。
【００３７】
従って、このような構成にすることにより、簡素で配置自由度の高い光学系の設定により、光出力制御用光検出器へ入射する複数の光源からの光出力制御用光ビームの所定の光量を確保して検出信号の相対ノイズを低減しながら、前記光量変化への応答速度の向上を実現した光源の出力制御が可能となり、さらに、光源から出射される光ビームの利用効率の向上を図ることができるため、複数の光源を搭載しながら、光学系およびそれに付随する部品の構成や回路構成の簡素化と、高い精度での光源の出力制御を共に実現する、安価でより小型な光ピックアップ装置の実現に非常に有効である。
【００３８】
また、光源１０ａ、１０ｂと光出力制御用光検出器１１１との光学的距離をそれぞれＬａ、Ｌｂとしたときに、Ｌａ＞Ｌｂである場合には、第２の光源１０ｂからの光出力制御用光ビーム１２ｂを発散光として光出力制御用光検出器１１１へ入射させることにより、光出力制御用ビーム１２ｂの光量は第２の光源１０ｂと光出力制御用光検出器１１１との光学的距離やハーフミラー１０１の透過率の設定により独立して所定の光量に設定することができるため、簡素な光学系およびそれに付随する部品での構成が可能となり、構成の簡素化に有利となる。さらに、発散光とすることで、光出力制御用光検出器１１１へ入射する光ビームの受光される面上での面積が受光される面の面積に対して十分大きく設定されるため、光出力制御用光ビーム１２ｂが光出力制御用光検出器１１１へ入射する位置のばらつきによって生じる入射する光量のばらつきの範囲が小さくなるため、あらかじめ想定する光出力制御用光検出器１１１への入射する光ビーム１２ｂの光量のばらつきの範囲を小さく設定することができるために、より簡素な光出力制御用光検出器１１１、検出回路１４、光出力制御回路１５、光源駆動回路１６を用いることができる。このような構成をとることにより、光出力制御用光検出器１１１との光学的距離のより小さい光源１０ｂから出射され、ハーフミラー１０１を透過し、発散光として光出力制御用光検出器１１１へ入射する光出力制御用ビーム１２ｂの光量をより大きく確保することができるため、ハーフミラー１０１を透過する記録再生信号用光ビーム１３ｂの光量がより大きくなるようにハーフミラー１０１の反射率を設定することが可能となるため、出射される光ビーム１１ｂの利用効率の向上が期待でき、光ピックアップ装置の性能向上、低コスト化に有利となる。
【００３９】
一方、第１の光源からの光ビーム１１ａからハーフミラー１０１によって反射する光出力制御用光ビーム１２ａを、光源１０ａと光出力制御用光検出器１１１の光路上に設けた集光光学素子１１０によって集光することによって、光出力制御用光検出器１１１へ入射する光ビーム１２ａの光量は、主に集光光学素子１１０の集光特性によって設定され、光源と光出力制御用光検出器１１１の光学的な配置には依存しないため、所定の光量を確保するような光源１０ａから光出力制御用光検出器１１１へ至る光学系の配置の設定が容易に実現でき、配置の自由度の高い光学系およびそれに付随する部品を、簡素な構成で容易に実現できる。さらに、受光する面の面積の小さい光出力制御用光検出器１１１に対して所定の光量を確保する設定が容易に実現可能となり、十分な光量の入射による検出信号の相対ノイズの低減と、受光する面積を小さくすることによる光量の変化に対する応答速度の向上を両立する、高い精度での光源の出力制御を実現できる。また、収束光にすることにより、光出力制御用光ビーム１２ａを効率よく光出力制御用光検出器１１１へ入射させることができるため、光源１０ａから出射される光ビーム１１ａの利用効率の向上が期待でき、光ピックアップ装置の性能向上、低コスト化に有利となる。
【００４０】
従って、このような構成にすることにより、簡素で配置自由度の高い光学系の設定により、光出力制御用検出器へ入射する複数の光源からの光出力制御用光ビームの所定の光量を確保して検出信号の相対ノイズを低減しながら、前記光量変化への応答速度の向上を実現した光源の出力制御が可能となり、さらに、光源から出射される光ビームの利用効率の向上を図ることができるため、複数の光源を搭載しながら、光学系およびそれに付随する部品の構成や回路構成の簡素化と、高い精度での光源の出力制御を共に実現する、安価でより小型な光ピックアップ装置の実現に非常に有効である。
【００４１】
さらに、光源１０ａ、１０ｂに対応する光ディスク１０２、１０３をそれぞれ記録再生する際の所定の出射光量をそれぞれＰａ、Ｐｂとしたときに、Ｐａ＜Ｐｂである場合、光源１０ａからの出射光を分離した光ビーム１２ａを集光光学素子１１０で収束光として入射させることにより、第１の光源１０ａから出射され、ハーフミラー１０１で反射される光出力制御用光ビーム１２ａを効率よく光出力制御用光検出器１１１へ入射させることが可能となるため、光出力制御用光検出器１１１へ向かう光出力制御用光ビーム１２ａの光量を小さく設定し、ハーフミラー１０１を透過する光ディスクの記録再生信号用光ビーム１３ａの光量を大きく設定することが可能となる。このような構成をとることにより、出射ビーム１０ａの光量が小さな光源においても、出射される光ビームの利用効率の向上が期待でき、光ピックアップ装置の性能向上、低コスト化に有利となる。
【００４２】
一方、より高出力の光源１０ｂからの光出力制御用光ビーム１１ｂを発散光として光出力制御用光検出器１１１へ入射させることにより、光出力制御用ビーム１２ｂの光量は第２の光源１０ｂと光出力制御用光検出器１１１との光学的距離やハーフミラー１０１の透過率の設定により独立して所定の光量に設定することができるため、簡素な光学系およびそれに付随する部品での構成が可能となり、構成の簡素化に有利となる。さらに、発散光とすることで、光出力制御用光検出器１１１へ入射する光ビームの受光される面上での面積が受光される面の面積に対して十分大きく設定されるため、光出力制御用光ビーム１２ｂが光出力制御用光検出器１１１へ入射する位置のばらつきによって生じる入射する光量のばらつきの範囲が小さくなるため、あらかじめ想定する光出力制御用光検出器１１１へ入射する光ビーム１２ｂの光量のばらつきの範囲を小さく設定することができるために、より簡素な光出力制御用光検出器１１１、検出回路１４、光出力制御回路１５、光源駆動回路１６を用いることができる。
【００４３】
従って、このような構成にすることにより、簡素で配置自由度の高い光学系の設定により、光出力制御用光検出器へ入射する複数の光源からの光出力制御用光ビームの所定の光量を確保して検出信号の相対ノイズを低減しながら、前記光量変化への応答速度の向上を実現した光源の出力制御が可能となり、さらに、光源から出射される光ビームの利用効率の向上を図ることができるため、複数の光源を搭載しながら、光学系およびそれに付随する部品の構成や回路構成の簡素化と、高い精度での光源の出力制御を共に実現する、安価でより小型な光ピックアップ装置の実現に非常に有効である。
【００４４】
なお、本実施の形態では、ハーフミラー１０１によって分離された光の全部を検出する例を示したが、分離された光の一部を出力制御用光検出器１１１で検出し、光源の出力の制御を行う構成においても効果は同様であり、本実施の形態のような構成に限定されるものではない。
【００４５】
（実施の形態２）
次に本発明の第２の実施の形態について、図２（ａ）に示す。なお、説明の便宜上、第１の実施の形態にて示した部材と同一の機能を有する部材には同じ符号を付記し、その説明は省略する。
【００４６】
２０ａは第１の波長の光源、２０ｂは第２の波長の光源であり、これらは互いに独立して光源駆動回路１６に駆動され発光する構成となっており、第１の波長の光源２０ａは第１の光ディスク２０２の記録または再生、第２の光源２０ｂは第２の光ディスク２０３の記録または再生に対応するものであり、出射する光の波長は互いに異なる。
【００４７】
ここで２０１は図２（ｂ）に示すような、入射する光ビームの中心を通る点を中心として所定の半径を有す円を境にして内周部２０１ａと外周部２０１ｂの二つの領域から構成されており、第１の光源２０ａから出射される光ビーム２１ａに対して、内周部が光ビームを透過させる作用を有し、外周部が集光作用を有す集光光学素子であり、集光光学素子２０１上で内周部を通過する光ビームはハーフミラー１０１へ入射し、反射され、記録再生信号用光ビーム２３ｂとなる。集光作用を備えた外周部分へ入射した光は集光作用によって集光され図に実線で示すような収束光として、ハーフミラー１０１を透過し、光出力制御用光ビーム２２ａとして光出力制御用光検出器１１１へ入射する。一方、第２の光源２０ｂから出射された光ビームは図中の破線で示す発散光としてハーフミラーへ入射し、光出力制御用光ビーム２２ｂおよび記録再生信号用光ビーム２３ｂに分離される。
【００４８】
この構成では、上記の実施例と同様に、光出力制御用光検出器１１１は光出力制御用光ビーム２２ａ、２２ｂの一部または全部を各々検出し検出信号を出力し、検出信号を検出回路１４へ出力する。検出回路１４は入力された検出信号を光出力検出信号へ変換し、光出力制御回路１５へ出力し、光出力制御回路１５はそれぞれ第１の光源２０ａ、第２の光源２０ｂの光出力を所定の値にするように上記検出信号をもとに光源駆動回路１６の制御を行い、光源２０ａあるいは２０ｂを駆動する。このとき、光源２０ａ、２０ｂが所定の光量の光ビーム２１ａ、２１ｂを出力する際の光出力制御用光検出器１１１から出力される検出信号がほぼ等しくなるように、光出力制御用光検出器１１１へそれぞれ入射する光出力制御用ビーム２２ａ、２２ｂの光量が設定されている。
【００４９】
このような構成にすることにより、第１の光源２０ａに対応する光出力制御用光ビーム２２ａの光量は、集光光学素子２０１の集光作用を有す外周部の範囲の設定およびその集光特性の設定により独立して設定することができ、光源２０ａと光出力制御用光検出器１１１の光学的な配置には依存には依存しないため、所定の光量を確保するような光源１０ａから光出力制御用光検出器１１１へ至る光学系の配置の設定が容易に実現でき、配置の自由度の高い光学系およびそれに付随する部品を、簡素な構成で容易に実現できる。さらに、受光する面の面積の小さい光出力制御用検出器に対して所定の光量を確保する設定が容易に実現可能となり、十分な光量の入射による検出信号の相対ノイズの低減と、受光する面積を小さくすることによる光量の変化に対する応答速度の向上を両立する、高い精度での光源の出力制御を実現できる。さらに、収束光にすることにより、光出力制御用光ビーム２２ａを効率よく光出力制御用光検出器１１１へ入射させることができるため、光源２０ａから出射される光ビーム２１ａの利用効率の向上が期待でき、光ピックアップ装置の性能向上、低コスト化に有利となる。
【００５０】
また、このように外周部に集光作用を有す集光光学素子２０１を用いることで、出射される光ビーム２１ａを光出力制御用光ビーム２２ａと記録再生信号光ビーム２３ａへ効率よく分配ことができ光出力制御や光ディスクの記録再生のために十分な光量を確保することができるため、出射される光ビーム２１ａの利用効率の向上が期待でき、光ピックアップ装置の性能向上、低コスト化に有利となる。
【００５１】
また、光源２０ｂからの光出力制御用光ビーム２２ｂを図中破線で示すような発散光として光出力制御用光検出器１１１へ入射させることにより、光出力制御用ビーム２２ｂの光量は第２の光源２０ｂと光出力制御用光検出器１１１との光学的距離やハーフミラー１０１の反射率の設定により独立して所定の光量に設定することができるため、簡素な光学系およびそれに付随する部品での構成が可能となり、構成の簡素化に有利となる。さらに、発散光とすることで、光出力制御用光検出器１１１へ入射する光ビームの受光される面上での面積が受光される面の面積に対して十分大きく設定されるため、光出力制御用光ビーム２２ｂが光出力制御用検出器１１１へ入射する位置のばらつきによって生じる入射する光量のばらつきの範囲が小さくなるため、あらかじめ想定する光出力制御用光検出器１１１へ入射する光ビーム２２ｂの光量のばらつきの範囲を小さく設定することができるために、より簡素な光出力制御用光検出器１１１、検出回路１４、光出力制御回路１５、光源駆動回路１６を用いることができる。
【００５２】
このとき、集光光学素子２０１の内周部を通った光ビーム２１ａの一部はハーフミラー１０１を透過し、光出力制御用光検出器１１１へ入射するが光量は十分小さく、検出信号に影響を与えないように設定されている。一方で、外周部で集光された収束光の一部はハーフミラー１０１で反射され、光ディスク２０２へ向かうが、光ディスク２０２までの光学的距離は十分長く設定されており、光ディスク２０２へは微弱な発散光として照射されるため、光ディスク２０２による反射光が記録再生信号用光検出器１０８へ入射することはなく、信号の記録再生には影響を与えないように設定されている。
【００５３】
さらに、本実施の形態のように、集光光学素子２０１を分離光学素子と光源の間に設けることにより、第１の光源からの光ビーム２１ａのみを独立して集光することが可能となり、第１の実施の形態のように、集光光学素子に波長選択性の設定が不要であり、より部品の簡素化や低コスト化に有利となる。
【００５４】
従って、このような構成にすることにより、簡素で配置自由度の高い光学系の設定により、光出力制御用光検出器へ入射する複数の光源からの光出力制御用光ビームの所定の光量を確保して検出信号の相対ノイズを低減しながら、前記光量変化への応答速度の向上を実現した光源の出力制御が可能となり、さらに、光源から出射される光ビームの利用効率の向上を図ることができるため、複数の光源を搭載しながら、光学系およびそれに付随する部品の構成や回路構成の簡素化と、高い精度での光源の出力制御を共に実現する、安価でより小型な光ピックアップ装置の実現に非常に有効である。
【００５５】
さらに、本実施の形態において、集光光学素子２０１の集光作用を有す外周部２０１ｂが中心からの所定の距離をもつ円を境に二つの領域に設定されている例を述べたが、図２（ｃ）に示すような、集光作用を有す外周部２０１ｃが、中心から所定の距離以上はなれた任意の範囲のみ設定された構成あるいは任意の範囲の複数の外周部を有す構成においても、効果は同様であり、本実施の形態のような外周部の設定に限定されるものではない。
【００５６】
（実施の形態３）
次に本発明の第３の実施の形態について、図３に示す。なお、説明の便宜上、第１の実施の形態にて示した部材と同一の機能を有する部材には同じ符号を付記し、その説明は省略する。
【００５７】
図３において、３０ａは第１の波長の光源、３０ｂは第２の波長の光源であり、光源駆動回路１６によって選択的に駆動される構成となっており、それぞれ第１の光ディスク３０４、第２の光ディスク３０５の記録または再生に対応するものであり、出射する光の波長は互いに異なる。３０１は入射する光ビームの中心を通る点を中心として所定の半径を有す円を境にして内周部と外周部の二つの領域で構成されており、その外周部のみに光源３０ａから出射された光ビームの偏光方向に対してその偏光方向を直行する方向へ回転させる作用を有す１／２波長板複合素子、３０２は同様に入射する光ビームの中心を通る点を中心として所定の半径を有す円を境にして内周部と外周部の二つの領域で構成されており、その外周部には光源３０ａから出射される光ビームの偏光方向と直行する方向の偏光方向をもつ光ビームに対して集光作用を有す、偏光ホログラム素子であり、３０１と３０２は一体にして配置してある。
【００５８】
図３に示す構成においては、第１の光源３０ａから出射された図中実線で示した光ビーム３１ａは１／２波長板複合素子３０１へ入射し、そのうち内周部へ入射する光ビームは１／２波長板複合素子３０１、偏光ホログラム素子３０２を透過し、偏光ビームスプリッタ３０３へ入射する。一方、外周部へ入射した光ビームはその偏光方向を直行する方向へ変換され、偏光ホログラム素子３０２へ入射し、その集光作用によって集光され、偏光ビームスプリッタ３０３へ入射する。偏光ビームスプリッタ３０３には、光源３０ａから出射される光ビームの偏光方向に対しては光が高い効率で反射し、その方向に対して直行する方向の偏光方向を持つ光に対しては高い効率で透過するような特徴を持つ偏光膜を施してあるため、１／２波長板複合素子３０１の内周部を通過した光ビームは偏光ビームスプリッタ３０３で反射し、光ディスク３０４へ至る。また、１／２波長板複合素子３０１の外周部を通過した光ビームは偏光ビームスプリッタ３０３を透過し、集光された収束光として光出力制御用光検出器１１１へ入射する。また、偏光ビームスプリッタ３０３は、第２の光源３０ｂの波長の光に対して、一部を透過させ、その他を反射する特徴も有す膜が施してあるため、光源３０ｂより出射された図中破線で示す光ビーム３１ｂは偏光ビームスプリッタ３０３にて光出力制御用光ビーム３２ｂと記録再生信号用光ビーム３３ｂへ分離される。
【００５９】
この構成では、上記の実施の形態と同様に、光出力制御用光検出器１１１は光出力制御用ビーム３２ａ、３２ｂの一部または全部を各々検出し、検出回路１４は入力された検出信号を光出力検出信号へ変換し、光出力制御回路１５へ出力し、光出力制御回路１５はそれぞれ第１の光源３０ａ、第２の光源３０ｂの光出力を所定の値にするように上記検出信号をもとに光源駆動回路１６の制御を行い、光源３０ａあるいは３０ｂを駆動する。このとき、光源３０ａ、３０ｂが所定の光量の光ビーム３１ａ、３１ｂを出力する際の光出力制御用光検出器１１１から出力される検出信号がほぼ等しくなるように、光出力制御用光検出器１１１へそれぞれ入射する光出力制御用ビーム３２ａ、３２ｂの光量が設定されている。
【００６０】
第１の光源に対応する光出力制御用光ビーム３２ａの光量は、１／２波長板複合素子３０１の外周部の偏光方向を回転させる作用を有す範囲の設定と偏光ホログラム素子３０２の集光作用を有す外周部の範囲および集光特性の設定により独立して設定することができ、光源３０ａと光出力制御用光検出器１１１の光学的な配置には依存しないため、所定の光量を確保するような光源１０ａから光出力制御用光検出器１１１へ至る光学系の配置の設定が容易に実現でき、配置の自由度の高い光学系およびそれに付随する部品を、簡素な構成で容易に実現できる。
さらに、受光する面の面積の小さい光出力制御用検出器に対して所定の光量を確保する設定が容易に実現可能となり、十分な光量の入射による検出信号の相対ノイズの低減と、受光する面積を小さくすることによる光量の変化に対する応答速度の向上を両立する、高い精度での光源の出力制御を実現できる。さらに、収束光にすることにより、光出力制御用光ビーム３２ａを効率よく光出力制御用光検出器１１１へ入射させることができるため、光源３０ａから出射される光ビーム３１ａの利用効率の向上が期待でき、光ピックアップ装置の性能向上、低コスト化に有利となる。
【００６１】
また、このような１／２波長板複合素子３０１と偏光ホログラム素子３０２を用いることで、出射される光ビームを光出力制御用光ビーム３２ａと記録再生信号用光ビーム３３ａへ効率よく分離することができ、低出力の光源に対しても十分な光量の光出力制御用光ビームと記録再生信号用光ビームを得る事ができ、出射される光ビームの更なる利用効率の向上が可能となるため、光ピックアップ装置の性能向上、低コスト化に極めて有利となる。
【００６２】
また、光源３０ｂからの光出力制御用光ビーム３２ｂを図中破線で示すような発散光として光出力制御用光検出器１１１へ入射させることにより、光出力制御用ビーム３２ｂの光量は第２の光源３０ｂと光出力制御用光検出器１１１との光学的距離や偏光ビームスプリッタ３０３の反射率の設定により独立して所定の光量に設定することができるため、簡素な光学系およびそれに付随する部品での構成が可能となり、構成の簡素化に有利となる。さらに、発散光とすることで、光出力制御用光検出器１１１へ入射する光ビームの受光される面上での面積が受光される面の面積に対して十分大きく設定されるため、光出力制御用光ビーム３２ｂが光出力制御用光検出器１１１へ入射する位置のばらつきによって生じる入射する光量のばらつきの範囲が小さくなるため、あらかじめ想定する光出力制御用光検出器１１１への入射する光ビーム３２ｂの光量のばらつきの範囲を小さく設定することができるために、より簡素な光出力制御用光検出器１１１、検出回路１４、光出力制御回路１５、光源駆動回路１６を用いることができる。
【００６３】
従って、このような構成にすることにより、簡素で配置自由度の高い光学系の設定により、光出力制御用光検出器へ入射する複数の光源からの光出力制御用光ビームの所定の光量を確保して検出信号の相対ノイズを低減しながら、前記光量変化への応答速度の向上を実現した光源の出力制御が可能となり、さらに、光源から出射される光ビームの利用効率の向上を図ることができるため、複数の光源を搭載しながら、光学系およびそれに付随する部品の構成や回路構成の簡素化と、高い精度での光源の出力制御を共に実現する、安価でより小型な光ピックアップ装置の実現に非常に有効である。
【００６４】
なお、本実施の形態において、１／２波長板複合素子３０１の偏光方向を回転する作用を有す外周部、偏光ホログラム素子３０２の集光作用を有す外周部が中心からの所定の距離をもつ円を境に二つの領域に設定されている例を述べたが、上記外周部が、中心から所定の距離以上はなれた任意の範囲のみ設定された構成あるいは任意の範囲の複数の外周部を有す構成においても効果は同様であり、本実施の形態のような外周部の設定に限定されるものではない。
【００６５】
（実施の形態４）
次に本発明の第４の実施の形態について、図４に示す。なお、説明の便宜上、第１の実施の形態にて示した部材と同一の機能を有する部材には同じ符号を付記し、その説明は省略する。
【００６６】
４０ａは第１の波長の光源、４０ｂは第２の波長の光源、４０ｃは第３の波長の光源であり、これらは互いに独立して光源駆動回路１６に駆動され発光する構成となっており、第１の波長の光源４０ａはそれぞれ第１の光ディスク４０４、第２の光ディスク４０５、第３の光ディスク４０６の記録または再生に対応するものであり、出射する光の波長は互いに異なる。４０１、４０３はハーフミラーであり、４４はそれぞれの光ディスクからの記録再生信号を検出する光学系および検出回路を示す。この光学系では、第１の光源４０ａから出射された光ビーム４１ａは、ハーフミラー４０１へ入射する。ハーフミラー４０１には光ビーム１１ａ、〜１１ｃの各々の一部を透過させ、その他を反射させる特徴をもつ膜が施されているため、入射した光はハーフミラー４０１において、反射光は光出力制御用光ビーム４２ａ、透過光は記録再生信号用光ビーム４３ａに分離され、光出力制御用光ビーム４２ａは図に破線で示すような発散光として光出力制御用光検出器１１１へ入射する。
【００６７】
第２の光源４０ｂから出射された光ビーム４１ｂは、ハーフミラー４０３で反射され、図中鎖線で示すような発散光としてハーフミラー４０１へ入射し、記録再生信号用光ビーム４３ｂと光出力制御用光ビーム４２ｂへ分離される。
【００６８】
また、第３の光源４０ｃから出射された光ビーム４１ｃは、ハーフミラー４０１によって反射され、集光光学素子４０２へ入射する。ここで集光光学素子４０２は入射する光ビームの中心を通る点を中心として所定の半径を有す円を境にして内周部と外周部の二つの領域から構成され、第３の光源４０ｃから出射される波長の光ビーム４１ｃに対して内周部は透過させる作用を有し、外周部が集光作用を有す集光光学素子であり、集光光学素子上で内周部を通過する光ビームは内周部を通過する光ビームはハーフミラー４０３を透過したあと、ハーフミラー４０１へ入射し、反射され、記録再生信号用光ビーム４３ｃとなる。一方、外周部分へ入射した光は集光作用によって集光され図に実線で示すような収束光として、ハーフミラー４０３を透過したあとハーフミラー４０１を透過し、光出力制御用光ビーム４２ｃとして光出力制御用光検出器１１１へ入射する。
【００６９】
この構成では、上記の実施例と同様に、光出力制御用光検出器１１１は光出力制御用ビーム４３ａ〜４３ｃの一部または全部を各々検出し、検出回路１４は入力された検出信号を光出力検出信号へ変換し、光出力制御回路１５へ出力し、光出力制御回路１５はそれぞれ複数の光源４０ａ〜４０ｂの光出力を所定の値にするように上記検出信号をもとに光源駆動回路１６の制御を行い、光源４０ａ〜４０ｃを駆動する。このとき、光源４０ａ〜４０ｃが所定の光量の光ビーム４１ａ〜４１ｃを出力する際の光出力制御用光検出器１１１から出力される検出信号がほぼ等しくなるように、光出力制御用光検出器１１１へそれぞれ入射する光出力制御用ビーム４２ａ〜４２ｃの光量が設定されている。
【００７０】
このとき、光ビーム４１ｃのうち、集光光学素子４０２の内周部を通った光ビームの一部はハーフミラー４０１を透過し、光出力制御用光検出器１１１へ入射するが、光量は十分小さく、影響を与えないように設定されている。一方、外周部で集光された収束光の一部はハーフミラー４０１で反射され、光ディスク４０６へ向かうが、光ディスク４０６までの光学的距離は十分長く設定されており、光ディスク４０６へは微弱な発散光として照射されるため、その光ディスク４０６による反射光が記録再生信号として入射することはなく、信号の記録再生には影響を与えないように設定してある。
【００７１】
このような構成にすることにより、光源４０ａの光出力制御用光ビームを発散光として光出力制御用光検出器１１１へ入射させることにより、光出力制御用光ビーム４２ａの光量は第１の光源４０ａと光出力制御用光検出器１１１との光学的距離やハーフミラー４０１の反射率の設定により独立して所定の光量に設定することができ、また同様に光出力制御用ビーム４２ｂの光量は第２の光源４０ｂと光出力制御用光検出器１１１との光学的距離やハーフミラー４０３の反射率の設定により独立して所定の光量に設定することができるため、簡素な光学系およびそれに付随する部品での構成が可能となり、構成の簡素化に有利となる。さらに、これらを発散光とすることで、光出力制御用光検出器１１１へ入射する光ビームの受光される面上での面積が受光される面の面積に対して十分大きく設定されるため、光出力制御用光ビーム４２ａ、４２ｂが光出力制御用光検出器１１１へ入射する位置のばらつきによって生じる入射する光量のばらつきの範囲が小さくなるため、あらかじめ想定する光出力制御用光検出器１１１への入射する光ビーム４２ａ、４２ｂの光量のばらつきの範囲を小さく設定することができるために、より簡素な光出力制御用光検出器１１１、検出回路１４、光出力制御回路１５、光源駆動回路１６を用いることができる。
【００７２】
また、第３の光源に対応する光出力制御用光ビーム４２ｃの光量は、上述した光ビーム４２ｂの光量の設定のために、ハーフミラー４０３の光学特性が設定されているものの、集光光学素子４０２の集光作用を有す外周部の範囲の設定およびその集光特性の設定により独立して設定することができ、光源４０ｃと光出力制御用光検出器１１１の光学的な配置には依存しないため、所定の光量を確保するような光源１０ａから光出力制御用光検出器１１１へ至る光学系の配置の設定が容易に実現でき、配置の自由度の高い光学系およびそれに付随する部品を、簡素な構成で容易に実現できる。さらに、受光する面の面積の小さい光出力制御用光検出器１１１に対して所定の光量を確保する設定が容易に実現可能となり、十分な光量の入射による検出信号の相対ノイズの低減と、受光する面積を小さくすることによる光量の変化に対する応答速度の向上を両立する、高い精度での光源の出力制御を実現できる。
【００７３】
さらに、収束光にすることにより、光出力制御用光ビーム４２ｃを効率よく光出力制御用光検出器１１１へ入射させることができるため、光源４０ｃから出射される光ビーム４１ｃの利用効率の向上が期待でき、光ピックアップ装置の性能向上、低コスト化に有利となる。
【００７４】
また、このように外周部に集光作用を有す集光光学素子４０２を用いることで、出射される光ビームを光出力制御用光ビーム４２ｃと記録再生信号用光ビーム４３ｃへ効率よく分配することができ、出射される光ビームの更なる利用効率の向上が期待でき、光ピックアップ装置の性能向上、低コスト化に有利となる。ここで、第３の実施例のように集光光学素子４０２が１／２波長板と偏光ホログラム素子を用いても上述の効果が期待でき、効果はより大きいものとなる。
【００７５】
従って、このような構成にすることにより、簡素で配置自由度の高い光学系の設定により、光出力制御用光検出器へ入射する複数の光源からの光出力制御用光ビームの所定の光量を確保して検出信号の相対ノイズを低減しながら、前記光量変化への応答速度の向上を実現した光源の出力制御が可能となり、さらに、光源から出射される光ビームの利用効率の向上を図ることができるため、複数の光源を搭載しながら、光学系およびそれに付随する部品の構成や回路構成の簡素化と、高い精度での光源の出力制御を共に実現する、安価でより小型な光ピックアップ装置の実現に非常に有効である。
【００７６】
【発明の効果】
以上のように、本発明によれば、一つの光出力制御用光検出器へ複数の光源からの出射光から分離された光を入射させる際に、少なくとも一つを発散光に、その他の少なくとも一つを収束光にすることにより、光源から出射光の利用効率の向上を図りながら、光学系およびそれに付随する部品の構成や回路構成の簡素化と、高い精度での光源の出力制御を共に実現する、安価でより小型な光ピックアップ装置の実現が可能である。
【図面の簡単な説明】
【図１】本発明の第１の実施の形態における光学系および光出力制御回路を示す構成図
【図２】（ａ）本発明の第２の実施の形態における光学系および光出力制御回路を示す構成図
（ｂ）本発明の第２の実施の形態における集光光学素子の斜視図
（ｃ）本発明の第２の実施の形態における集光光学素子の一例の斜視図
【図３】本発明の第３の実施の形態における光学系および光出力制御回路を示す構成図
【図４】本発明の第４の実施の形態における光学系および光出力制御回路を示す構成図
【図５】従来の光ピックアップ装置における光学系および光出力制御回路を示す構成図
【符号の説明】
１０ａ，１０ｂ，２０ａ，２０ｂ  光源
３０ａ，３０ｂ，４０ａ，４０ｂ，４０ｃ，５０ａ，５０ｂ  光源
１０４，５０４  コリメートレンズ
１０５，１０７，５０１，５０５，５１０  ビームスプリッタ
１０１，４０１，４０３，５０１  ハーフミラー
１０６，５０６  対物レンズ
１０２，１０３，２０２，２０３，３０４，３０５  光ディスク
４０４，４０５，４０６，５０２，５０３  光ディスク
１０８，１０９，５１１，５１３  記録再生信号用光検出器
１１０，２０１，４０２  集光光学素子
１１１，５１２  光出力制御用光検出器
１１ａ，１１ｂ，２１ａ，２１ｂ，３１ａ，３１ｂ  光源からの出射光ビーム
４１ａ，４１ｂ，４１ｃ，５１ａ，５１ｂ  光源からの出射光ビーム
１２ａ，１２ｂ，２２ａ，２２ｂ，３２ａ，３２ｂ  光出力制御用光ビーム
４２ａ，４２ｂ，４２ｃ，５２ａ，５２ｂ  光出力制御用光ビーム
１３ａ，１３ｂ，２３ａ，２３ｂ，３３ａ，３３ｂ  記録再生信号用光ビーム
４３ａ，４３ｂ，４３ｃ，５３ａ，５３ｂ  記録再生信号用光ビーム
１４，５４  検出回路
１５，５５  光出力制御回路
１６，５６  光源駆動回路
４４  記録再生信号を検出する光学系および検出回路
２０１ａ  集光光学素子の内周部
２０１ｂ  集光光学素子の外周部
２０１ｃ  集光光学素子の外周部
３０１  １／２波長板複合素子
３０２  偏光ホログラム素子
３０３  偏光ビームスプリッタ
【図１】
2004253062.tif 000003
【図２】
2004253062.tif 000004
【図３】
2004253062.tif 000005
【図４】
2004253062.tif 000006
【図５】
2004253062.tif 000007